(57)【要約】【課題】コンパクトな構成かつ簡単な操作で高品位な画像を読み取ることができる画像読み取り機能を有する電子機器を提供する。【解決手段】ＬＣＤ２１の前面にスキャナ部３１を装着する。スキャナ部３１のパネルは透光性を有するフィルム状部材であり、多数の受光素子を有している。画像読み取り時には、まずバックライト２２をＯＮにし、ＬＣＤ２１に白色画像を表示して、その発光光を読取対象物に照射する。そして、読取対象物で反射される光をスキャナ部３１で検知することにより、画像の読み取りを行う。【選択図】　図５
2004030187.tif 000002
【特許請求の範囲】
【請求項１】
画像を表示する表示手段と、
前記表示手段の前面に装着され、前記表示手段の発光光のうち読取対象物で反射される光を検知することにより前記読取対象物の像情報を読み取る読取手段と、
前記読取手段が前記像情報の読み取り処理を行う際に、前記表示手段に無模様の単色画像を表示させる制御手段と、
を備えた画像読み取り機能を有する電子機器。
【請求項２】
前記制御手段は、無模様の単色画像と操作方法を案内するガイド画像とを所定時間ごとに切り換えて前記表示手段に表示させ、前記単色画像が表示されているときに前記読取手段に読み取り処理を行わしめる請求項１記載の電子機器。
【請求項３】
前記無模様の単色画像は白色画像である請求項１または２記載の電子機器。
【請求項４】
前記単色画像を前記表示手段の表示域の略全体に表示する請求項１，２または３に記載の電子機器。
【請求項５】
画像を表示する表示手段と、前記表示手段の前面に装着された光量検知手段とを用いた画像読み取り方法であって、
前記表示手段に無模様の単色画像を表示し、
前記表示手段の発光光を読取対象物に照射し、
前記読取対象物で反射される光を前記光量検知手段で検知することにより前記読取対象物の像情報を読み取る画像読み取り方法。
【請求項６】
画像を表示する表示手段と、前記表示手段の前面に装着された光量検知手段とを用いた画像読み取り方法であって、
前記表示手段に無模様の単色画像と操作方法を案内するガイド画像とを所定時間ごとに切り換えて表示し、
前記表示手段の発光光を読取対象物に照射し、
前記単色画像が表示されているときに前記読取対象物で反射される光を前記光量検知手段で検知することにより前記読取対象物の像情報を読み取る画像読み取り方法。
【請求項７】
前記無模様の単色画像は白色画像である請求項５または６記載の画像読み取り方法。
【請求項８】
前記単色画像を前記表示手段の表示域の略全体に表示する請求項５，６または７に記載の画像読み取り方法。
【請求項９】
画像を表示する表示手段と、前記表示手段の前面に装着された光量検知手段とを備えた電子機器で実行可能なプログラムであって、
前記表示手段に無模様の単色画像を表示させ、
前記表示手段の発光光のうち読取対象物で反射される光を前記光量検知手段で検知することにより前記読取対象物の像情報を読み取らせるプログラム。
【請求項１０】
画像を表示する表示手段と、前記表示手段の前面に装着された光量検知手段とを備えた電子機器で実行可能なプログラムであって、
前記表示手段に無模様の単色画像と操作方法を案内するガイド画像とを所定時間ごとに切り換えて表示させ、
前記単色画像が表示されているときに読取対象物で反射される光を前記光量検知手段で検知することにより前記読取対象物の像情報を読み取らせるプログラム。
【請求項１１】
前記無模様の単色画像は白色画像である請求項９または１０記載のプログラム。
【請求項１２】
前記単色画像を前記表示手段の表示域の略全体に表示する請求項９，１０または１１記載のプログラム。
【発明の詳細な説明】
【０００１】
【発明の属する技術分野】
本発明は、画像読み取り機能を有する携帯電話、携帯情報端末、モバイルコンピュータその他の電子機器に関するものである。
【０００２】
【従来の技術】
従来より、携帯電話や携帯情報端末などの小型の電子機器が広く普及している。この種の機器は、その優れた携帯性・利便性から機器本来の機能を超えて様々な用途への応用展開が期待されている。最近では、電子メールの送受信やインターネットへの接続が可能な機器が実用化され、オンラインショッピングやモバイルバンキングなどに利用され始めている。また、デジタルカメラやプリンタあるいはハンドスキャナなどの画像入出力デバイスを備えた機器も登場している。
【０００３】
たとえば、特開平７−２８３９１０号公報では、携帯情報端末のＰＣカードスロットに装着可能なハンディスキャナが提案されている。また、特開２００１−２０３８３７号公報では、スキャナ部を携帯電話の側面や背面などに設けた構成のファクシミリ機能付携帯電話が提案されている。
【０００４】
【発明が解決しようとする課題】
上記のような従来のスキャナにあっては、画像読み取り部がライン状に構成されており、画像読取時には読取対象物上をなぞるようにして手動走査を行う必要がある。したがって、操作性が悪く、また、走査速度のバラツキにより画像に歪みが生じることを避け得ず、高品位な画像読み取りを行うことができなかった。
【０００５】
しかしながら、操作性および画像品位を向上するために、画像読み取り部の面積を広げたり、機械的な走査機構を設けたりすることは現実的ではない。ディスプレイやボタンなどの部品配置に制約が生まれて大幅な設計変更が必要となるばかりでなく、電子機器自体の大型化を招き携帯性や利便性を損なうおそれがあるからである。
【０００６】
また、このような新たなデバイスを追加する際には、消費電力の問題も考慮しなければならない。特にスキャナの場合は読取対象物を照射する光源が必要となることから、携帯型の電子機器への組み込みが難しく、実用化への一つの障害となっていたといえる。
【０００７】
本発明は上記実情に鑑みてなされたものであって、その目的とするところは、コンパクトな構成かつ簡単な操作で高品位な画像を読み取ることができる画像読み取り機能を有する電子機器を提供することにある。
【０００８】
【課題を解決するための手段】
上記目的を達成するために本発明の電子機器では、読取対象物の像情報を読み取る読取手段を表示手段の前面に装着する。したがって、読取手段を追加するにあたり電子機器の大型化や設計変更を招くことがなく、コンパクトでデザイン性に優れた電子機器を実現することができる。また、一般に、表示手段は電子機器において最も大きな面積を占める部分であることから、それに対応して読取手段の面積（スキャンサイズ）も十分大きく確保することが容易である。
【０００９】
前記読取手段は、表示手段の発光光のうち読取対象物で反射される光を検知することにより読取対象物の像情報を読み取ることが好適である。この構成によれば、表示手段を光源にして画像読み取りを行うので、読取手段に専用の光源を設ける必要がない。したがって、電子機器の小型化と消費電力の低減を図ることができる。
【００１０】
ここで、読取手段が像情報の読み取り処理を行う際に、表示手段に無模様の単色画像を表示させることが好ましい。すなわち、表示手段に無模様の単色画像を表示し、表示手段の発光光を読取対象物に照射し、読取対象物で反射される光を読取手段（光量検知手段）で検知することにより、読取対象物の像情報を読み取るのである。単色画像を表示することにより、読取対象物に照射される光の光量および波長が均一となるので、画像読み取りを正確かつ高品位に行うことができる。
【００１１】
また、単色画像として白色画像を表示させるとよい。これにより、表示手段の発光輝度（光量）が最大となり、かつ、発光光の波長域が可視光領域全体をカバーする。したがって、読取対象物で反射される反射光の光量が大きくなり、画像読み取りの分解能を向上させることができる。また、発光光の波長域を広くすることにより、読取対象物の色彩等にかかわらず良好に像情報を取得することができる。
【００１２】
上記単色画像を表示手段の表示域の略全体に表示することが好ましい。これにより、スキャンサイズを最も大きくできるので、読取対象物が読み取り部の中心から多少ずれていても問題無く画像を読み取ることができ、操作性が向上する。
【００１３】
このとき、無模様の単色画像と操作方法を案内するガイド画像とを所定時間ごとに切り換えて表示手段に表示し、単色画像が表示されているときに読取手段で読み取り処理を行うことも好適である。単色画像を表示した状態のままでは、操作方法がわからず不親切であるし、故障と勘違いするなどの混乱を招くおそれもある。しかし、単色画像とガイド画像を切り換えて表示することで、ユーザーフレンドリーな処理を実現できる。
【００１４】
なお、上記単色画像を表示手段の表示域の一部に表示する構成でもよい。表示域の端に操作ガイドを表示するなどして、操作性を高めるためである。
【００１５】
【発明の実施の形態】
以下に図面を参照して、この発明の好適な実施の形態を例示的に詳しく説明する。
【００１６】
なお、ここでは電子機器として携帯電話を例に挙げて説明を行うが、本発明の適用範囲はこれに限られず、たとえば携帯情報端末（ＰＤＡ）、モバイルコンピュータなど、表示手段を具備した電子機器にはすべて適用可能である。なかでも本発明が用いられて好適なものは比較的小型で携帯可能な電子機器であるといえる。
【００１７】
（第１の実施形態）
まず、本発明の第１の実施形態に係る電子機器としての携帯電話のハードウェア構成について説明する。
【００１８】
図１は、本実施形態に係る携帯電話の外観を示す図である。同図に示すように、この携帯電話１は、表示部２、数字ボタン３、機能ボタン４、マイク５、スピーカ６、アンテナ７などを有して構成され、外観上は一般的な構成の携帯電話と変わるところはない。
【００１９】
音声通話を行う場合には、数字ボタン３で電話番号を入力するか、機能ボタン４からアドレス帳を呼び出し相手先を選択して、発呼する。また、電子メールの送受信やインターネットへの接続などを行う場合には、機能ボタン４からそれらの諸機能を起動して実行する。
【００２０】
ここで表示部２は、ホームページや画像を表示するために、比較的大サイズのカラーディスプレイを採用している。本実施形態の表示部２は、画像を表示する表示手段として機能するのみならず、画像を読み取る読取手段としても機能する。この点については後述する。
【００２１】
図２に、携帯電話１の内部構成を示す。ＣＰＵ（Ｃｅｎｔｒａｌ　Ｐｒｏｃｅｓｓｉｎｇ　Ｕｎｉｔ）１０は、携帯電話１の諸機能の実行や各部材の制御を行う制御手段である。ＣＰＵ１０には、バス１１を介して、ＲＯＭ（Ｒｅａｄ　Ｏｎｌｙ　Ｍｅｍｏｒｙ）１２，ＲＡＭ（Ｒａｎｄｏｍ　Ａｃｃｅｓｓ　Ｍｅｍｏｒｙ）１３，入力部１４，音声制御部１５，通信制御部１６，ＬＣＤコントローラ２０，コントローラ３０などが接続されている。
【００２２】
ＲＯＭ１２は書き換え可能な不揮発性メモリであり、携帯電話１の諸機能を実現するソフトウェアが格納されている。このソフトウェアには、携帯電話１の出荷時からプリインストールされている組み込みプログラムの他、インターネットなどからダウンロードしたプログラムも含まれる。後述する画像の読み取り処理を実現するプログラムは、プリインストールまたはダウンロードにより提供され、ＲＯＭ１２に格納されることとなる。ＣＰＵ１０は、必要に応じてＲＯＭ１２からプログラムやデータを読み出し、ＲＡＭ１３をワークエリアとして利用しつつ、演算処理や制御処理などを行う。
【００２３】
数字ボタン３や機能ボタン４の押下によるユーザの入力は、入力部１４によって受け取られ処理される。また、音声制御部１５は、マイク５およびスピーカ６を制御する部分であり、通信制御部１６は、アンテナ７を介して通信基地局との通信を実現する部分である。
【００２４】
ＬＣＤコントローラ２０は、ＬＣＤ（Ｌｉｑｕｉｄ　Ｃｒｙｓｔａｌ　Ｄｉｓｐｌａｙ）２１，バックライト２２，フレームバッファ２３を制御する回路である。ＬＣＤ２１は画像を表示する表示手段であり、本実施形態ではバックライト２２を備える透過型ＴＦＴカラーＬＣＤを用いている。ただし、ＬＣＤとしてはＳＴＮ（Ｓｕｐｅｒｔｗｉｓｔｅｄ　Ｎｅｍａｔｉｃ）など他の種類のＬＣＤや反射型など他の方式のＬＣＤを用いてもよい。また、表示手段としてはＬＣＤに限らず、ＰＤＰ（Ｐｌａｓｍａ　Ｄｉｓｐｌａｙ　Ｐａｎｅｌ）やＦＥＤ（Ｆｉｅｌｄ　Ｅｍｉｓｓｉｏｎ　Ｄｉｓｐｌａｙ）やＥＬＤ（Ｅｌｅｃｔｒｏｌｕｍｉｎｅｓｃｅｎｃｅ　Ｄｉｓｐｌａｙ）なども好適に用いることが可能である。
【００２５】
コントローラ３０は、スキャナ部３１とスキャンバッファ３２を制御する回路である。その詳しい構成を図３の模式図を用いて説明する。
【００２６】
スキャナ部３１は、複数の受光素子（以下、単に「素子」という。）３４がマトリクス状に配置されたガラス基板３３を有する。素子３４としてはフォトトランジスタなどの光半導体素子を用いることができる。
【００２７】
図では、説明を簡単にするため、行方向６個×列方向６個の素子３４を配列した構成を例示しているが、実際には数十μｍの間隔で行方向および列方向それぞれに数百〜数千個の素子３４を配列している。この素子間隔がスキャナ部３１の解像度を決定する。本実施形態では解像度が約４００ｄｐｉとなるように素子３４を配列した。
【００２８】
それぞれの素子３４は、行方向配線３５および列方向配線３６に接続されている。そして、行方向配線３５は走査回路３７に、列方向配線３６は読み出し回路３８にそれぞれ接続されている。
【００２９】
画像読み取り時には、走査回路３７が複数の行方向配線３５のうち読み取り対象となる１本の配線（選択行）に所定の電圧を印加する。このとき選択行に接続された素子３４に光が当たると、その光量に応じた電流が列方向配線３６に流れる仕組みである。読み出し回路３８は、この電流をＡ／Ｄ変換して１行分の画像データを生成する。そして、順次、選択行を切り換えていくことで走査が行われ、１フレーム分の画像データが得られる。この画像データはスキャンバッファ３２に格納される。なお、１フレームの画像読み取りは、約０．１ｓｅｃで行われる。
【００３０】
コントローラ３０は内部に画像処理プログラムを備え、必要に応じてスキャンバッファ３２内の画像データに所定の処理を施す。たとえば、読取対象物が指紋の場合には、画像データから指紋の特徴点を抽出し、それをパラメータ化した指紋データを生成する。また、読取対象物がバーコードの場合には、デコード処理を行ってコードデータを生成する。ＣＰＵ１０により実行されているプログラムは、コントローラ３０を介して、画像データや指紋データやコードデータを取得することができる。
【００３１】
上記構成のスキャナ部３１はＬＣＤ２１の前面（表面）に一体的に装着される。すなわちここでは、ＬＣＤ２１とバックライト２２とスキャナ部３１とで表示部２を構成している。表示部２の断面構造を図４に示す。
【００３２】
ＬＣＤ２１は、２枚のガラス基板２４，２５の間に液晶層２６とカラーフィルタ２７が封入されて作製されたフルカラーＬＣＤである。ＬＣＤ２１の背面側には光源となるバックライト２２が配されている。
【００３３】
一方、スキャナ部３１は、素子３４を備えるガラス基板３３と素子３４を保護するためのコーティング層３９からなる。ガラス基板３３およびコーティング層３９からなるパネルは、透光性を有するフィルム状部材であって、ＬＣＤ２１の発光光Ｌをほとんど減衰させることなく透過する。
【００３４】
透過した発光光Ｌのうち読取対象物４０で反射された光が素子３４により検知される。このとき、読取対象物の色・形状・材質などにより反射光の光量が異なるので、スキャナ部３１ではその光量に応じた読取対象物の像情報を画像データとして取得することができる。つまり、本実施形態ではスキャナ部３１が読取対象物で反射される光の光量を検知する光量検知手段として機能し、ひいては読取対象物の像情報を読み取る読取手段として機能する。
【００３５】
このようにして、本実施形態の携帯電話１は、表示部２の発光光Ｌを利用して、表示部２の前面に配置された読取対象物４０の像情報を読み取ることができるのである。
【００３６】
では次に、図５および図６を参照して、本実施形態の携帯電話１における画像読み取り処理について説明する。
【００３７】
図５は、画像読み取り処理を実行するプログラムの構成を概略的に示した機能ブロック図である。また、図６は、画像読み取り処理のフローチャートである。
【００３８】
以下に述べる画像読み取り処理は、ＲＯＭに格納されたプログラム５０がＣＰＵにより実行されることにより実現されるものである。このプログラム５０は、バックライト２２のＯＮ／ＯＦＦを制御するバックライト制御部５１と、ＬＣＤ２１に画像を描画する画像描画部５２と、スキャナ部３１に対する処理を行うスキャナ制御部５３から構成される。
【００３９】
プログラム５０が起動すると、まずバックライト制御部５１がバックライト２２をＯＮにする（ステップＳ１００）。なお、プログラム５０は、ユーザが機能ボタンを押下すること等により起動される。
【００４０】
続いて、画像描画部５２がフレームバッファ２３に対して無模様の単色画像を書き込み、ＬＣＤ２１にその単色画像を表示させる（ステップＳ１０１）。そしてユーザが携帯電話の表示部を読取対象物に接触させることで、ＬＣＤ２１の発光光が読取対象物に照射される。読取対象物としては、表示部を接触させることが可能なものであれば何でもよい。たとえば、図７（ａ）のように表示部２に指４１を押し付けて指紋を読み取ることもできるし、同図（ｂ）のように紙等に印刷されたバーコード４２や文字・画像などを読み取ることもできる。
【００４１】
ここで無模様の単色画像を表示するのは、読取対象物に照射する光の光量および波長を均一にして、画像読み取りを正確に行うためである。本実施形態では、単色画像として白色画像を表示させている。これにより、ＬＣＤ２１の発光輝度（光量）が最大となり、かつ、発光光の波長域が可視光領域全体をカバーする。ＬＣＤ２１の発光輝度を大きくすれば、読取対象物で反射される光の光量も大きくなるので、画像読み取りの分解能を向上させることができる。また、発光光の波長域を広くすることにより、読取対象物の色彩にかかわらず良好に像情報を取得することができる。
【００４２】
続いて、スキャナ制御部５３がスキャナ部３１のコントローラに対してスキャン指示を送る（ステップＳ１０２）。
【００４３】
コントローラの制御により、スキャナ部３１は読取対象物で反射される光の光量を検知してその像情報を読み取り、スキャンバッファ３２に画像データを格納する（ステップＳ２００）。コントローラはこの画像データに対して所定の画像処理を行う（ステップＳ２０１）。なお、プログラム５０側で画像データそのものを利用する場合には、コントローラ側での画像処理は特に行う必要はない。最後に、コントローラはスキャン処理に関する終了ステータスをプログラム５０に通知する（ステップＳ２０２）。
【００４４】
スキャナ制御部５３は、その終了ステータスをみて、スキャン処理が成功したか否か、あるいはコントローラ側での画像処理が成功したか否かなどの情報を得る。処理が正常に行われていなかった場合には、ステップＳ１０２に戻り、スキャン処理を繰り返す（ステップＳ１０３）。
【００４５】
処理が正常に行われていたと判断した場合には、スキャナ制御部５３はコントローラからスキャンデータを読み込み（ステップＳ１０４，Ｓ２０３）、ＬＣＤ２１にスキャン完了のメッセージを表示する（ステップＳ１０５）。
【００４６】
このようにして得られたスキャンデータは、プログラム５０で様々な用途に利用することができる（ステップＳ１０６）。以下にその一例を述べる。
【００４７】
（１）指紋を読み取った場合
携帯電話のシークレットモードを解除するための解除キーとして利用することにより、プライバシー情報の保護や盗難時の不正利用を防止することができる。また、インターネット上のサイトにサインオンするための認証キーとして利用することにより、よりセキュアなインターネットサービスを実現することができる。また、モバイルバンキングなどの電子決済における本人認証のための認証キーとして利用することにより、ユーザの負担を軽減し、安全かつ便利な金融・決済サービスを実現することができる。
【００４８】
（２）バーコードを読み取った場合
バーコードに含まれる情報に基づいて、携帯電話を動作させることができる。たとえば、バーコードにＵＲＬ（Ｕｎｉｆｏｒｍ　Ｒｅｓｏｕｒｃｅ　Ｌｏｃａｔｏｒ）が含まれていれば、そのホームページにアクセスする。また、バーコードに住所・氏名・電話番号・メールアドレスなどの個人情報が含まれていれば、それらを携帯電話のアドレス帳に自動入力する。
【００４９】
（３）文字や画像を読み取った場合
スキャンした画像をそのまま保持・閲覧可能とすることで、簡易メモとして利用することができる。また、文字認識によりテキストデータに変換することもできる。このテキストデータがＵＲＬなどの場合は、そのホームページにアクセスしてもよい。また、スキャンした画像をファクシミリ画像として送信することもできる。
【００５０】
このように、スキャナ部を設けたことにより、携帯電話に指紋スキャナ、バーコードリーダ、イメージスキャナ、ＯＣＲ（Ｏｐｔｉｃａｌ　Ｃｈａｒａｃｔｅｒ　Ｒｅａｄｅｒ）あるいはファクシミリのような機能を追加し、携帯電話の機能性を向上させ、付加価値を高めることができる。
【００５１】
そして、本実施形態の構成によれば、スキャナ部をＬＣＤの前面に装着しているので、スキャナ部（画像読取デバイス）を追加するにあたり、携帯電話の大型化やデザイン変更を招くことがない。
【００５２】
また、スキャンサイズを十分大きく確保することができるので、手動走査を行う必要がなく、高品位な画像読み取りをすることができる。
【００５３】
また、ＬＣＤを光源として画像読み取りを行っているので、スキャナ部に専用の光源を設ける必要がない。したがって、携帯電話の小型化と消費電力の低減を図ることができる。
【００５４】
また、読み取り処理を行う際にＬＣＤに白色画像を表示させるので、正確かつ安定した高品位な画像読み取りを行うことができる。
【００５５】
（第２の実施形態）
上記第１の実施形態では、画像読み取り処理においてＬＣＤに単色画像を表示しているが、この状態のままでは、操作方法がわからず不親切であるし、故障と勘違いするなどの混乱を招くおそれもある。そこで、第２の実施形態では単色画像と操作方法を案内するガイド画像とを切り換えて表示することとした。なお、その他の構成および作用については上記第１の実施形態と同一なので、同一の構成部分については同一の符号を用いることとし、その詳しい説明は省略する。
【００５６】
図８および図９を参照して、本発明の第２の実施形態に係る画像読み取り処理について説明する。図８は、画像読み取り処理のフローチャートであり、図９は、画面遷移図である。
【００５７】
プログラム５０が起動すると、まずバックライト制御部５１がバックライト２２をＯＮにする（ステップＳ３００）。
【００５８】
続いて、画像描画部５２がフレームバッファ２３に対してガイド画像を書き込み、ＬＣＤ２１にそのガイド画像を表示させる（ステップＳ３０１）。ここでガイド画像とはユーザに対して画像読み取り処理についての操作方法を案内するメッセージ画像のことをいう。たとえば、図９（ａ）の例では、表示部２に「画面をバーコードに当てて○○ボタンを押してください。」とのメッセージを表示している。そしてこのガイド画像を表示した状態で所定時間ウエイトする（ステップＳ３０２）。
【００５９】
その後、画像描画部５２がフレームバッファ２３に対して無模様の単色画像を書き込み、ＬＣＤ２１にその単色画像を表示させる（ステップＳ３０３）。ここでも第１の実施形態と同様、画面全体に白色画像を表示させる（図９（ｂ））。
【００６０】
続いて、スキャナ制御部５３がスキャナ部３１のコントローラに対してスキャン指示を送る（ステップＳ３０４）。コントローラ側での処理は第１の実施形態のものと同様である。
【００６１】
スキャナ制御部５３は、コントローラの終了ステータスをみて、スキャン処理が成功したか否か、あるいはコントローラ側での画像処理が成功したか否かなどの情報を得る。
【００６２】
処理が正常に行われた場合には、スキャナ制御部５３はコントローラからスキャンデータを読み込み（ステップＳ３０６，Ｓ２０３）、ＬＣＤ２１にスキャン完了のメッセージを表示する（ステップＳ３０７）。そして、得られたスキャンデータに対して所定の処理を行う（ステップＳ３０８）。
【００６３】
一方、ステップＳ３０５において、スキャン処理が正常に行われていなかったと判断した場合には、ステップＳ３０１に戻り、再びＬＣＤ２１にガイド画像を表示する。すなわち、スキャン処理が成功するまで、所定時間ごとに白色画像とガイド画像とが交互に切り換えて表示されることとなる。
【００６４】
ここでは、１秒間あたり１又は２フレームが白色画像、それ以外がガイド画像となるように画像の切り換えを制御する。一般的な携帯電話では、８〜１０フレーム／秒で表示を行っているため、１又は２フレームの表示期間中に画像の読み取り処理を行うことは十分可能である。
【００６５】
以上述べた本実施形態の構成によれば、上記第１の実施形態で述べた作用効果に加え、より一層ユーザフレンドリーな処理を実現できる。
【００６６】
（他の実施形態）
上記各実施形態では、画像読み取りが成功した場合にＬＣＤにスキャン完了のメッセージを表示することとしたが、たとえばバーコードを読み取る場合など読取対象物がＬＣＤ全体を覆い隠してしまうときには、当該メッセージが表示されたことを確認することが難しい。そこで、以下のように構成することも好適である。
【００６７】
画像を表示する表示手段（ＬＣＤ）と、前記表示手段の前面に装着され、前記表示手段の発光光のうち読取対象物で反射される光を検知することにより前記読取対象物の像情報を読み取る読取手段（スキャナ部）と、前記読取手段が前記像情報の読み取り処理を行う際に、前記表示手段に無模様の単色画像を表示させる制御手段（ＣＰＵ）と、前記読み取り処理が完了した旨をユーザに通知する通知手段と、を備えた画像読み取り機能を有する電子機器。
【００６８】
上記通知手段は、携帯電話への着信を知らせるための通知ランプや、携帯電話の背面に設けられたメッセージランプなどに兼用させ、読み取り処理が完了した場合にランプを光らせるように構成してもよい。あるいは、上記通知手段を携帯電話が備える音源およびスピーカに兼用させて、読み取り処理が完了した場合に所定の完了音を鳴らすように構成してもよい。
【００６９】
また、携帯電話が上記表示手段とは別個に第２の表示手段（ＬＣＤ）を有する場合には、その第２の表示手段に読み取り処理が完了した旨のメッセージを表示することも好適である。
【００７０】
以上の構成によれば、読取対象物が表示手段全体を覆い隠している場合であっても、ユーザは画像読み取り処理が完了したことを確認することができる。
【００７１】
【発明の効果】
以上説明したように、本発明によれば、コンパクトな構成かつ簡単な操作で高品位な画像を読み取ることが可能となる。
【図面の簡単な説明】
【図１】本発明の第１の実施形態に係る携帯電話の外観を示す図である。
【図２】図１の携帯電話の内部構成を示すブロック図である。
【図３】図１の携帯電話のスキャナ部の構成を示す図である。
【図４】図１の携帯電話の表示部の断面構造を示す図である。
【図５】画像読み取り処理を実行するプログラムの構成を概略的に示した機能ブロック図である。
【図６】本発明の第１の実施形態に係る画像読み取り処理のフローチャートである。
【図７】画像読み取りの態様を示す図である。
【図８】本発明の第２の実施形態に係る画像読み取り処理のフローチャートである。
【図９】本発明の第２の実施形態に係る画像読み取り処理における画面遷移図である。
【符号の説明】
１　携帯電話（電子機器）
２　表示部
３　数字ボタン
４　機能ボタン
５　マイク
６　スピーカ
７　アンテナ
１０　ＣＰＵ（制御手段）
１１　バス
１２　ＲＯＭ
１３　ＲＡＭ
１４　入力部
１５　音声制御部
１６　通信制御部
２０　ＬＣＤコントローラ
２１　ＬＣＤ（表示手段）
２２　バックライト
２３　フレームバッファ
２４，２５　ガラス基板
２６　液晶層
２７　カラーフィルタ
３０　コントローラ
３１　スキャナ部（読取手段，光量検知手段）
３２　スキャンバッファ
３３　ガラス基板
３４　素子
３５　行方向配線
３６　列方向配線
３７　走査回路
３８　読み出し回路
３９　コーティング層
４０　読取対象物
４１　指
４２　バーコード
５０　プログラム
５１　バックライト制御部
５２　画像描画部
５３　スキャナ制御部
【図１】
2004030187.tif 000003
【図２】
2004030187.tif 000004
【図３】
2004030187.tif 000005
【図４】
2004030187.tif 000006
【図５】
2004030187.tif 000007
【図６】
2004030187.tif 000008
【図７】
2004030187.tif 000009
【図８】
2004030187.tif 000010
【図９】
2004030187.tif 000011